(57)【要約】  歯科用粉末洗浄デバイス（１）であって、圧縮空気源への取付けのために構成された基端側アーム（２）と、空気と粉末との混合物を患者へ分注するために構成された先端部（３０）を有する先端側アーム（３）と、乱流室（４）であって、前記アームの主な延在部（ＤＰ、ＤＤ）により規定された平面に実質的に直交する装填方向に従い室自体への研磨粉の挿入のために構成された装填側ドア（４０）を有し、前記乱流室（４）が前記基端側アーム（２）と前記先端側アーム（３）との間に挿入されるとともに、圧縮空気が前記基端側アーム（２）を通じて乱流室内で付加され得るとともに空気と粉末との混合物が前記先端側アーム（３）内で乱流室（４）から出ることができるような方法で両方と流体連通している乱流室（４）と、前記乱流室（４）の上流で前記基端側アーム（２）に配置された、圧縮空気流のためのコントローラ（１０）と、を備える歯科用粉末洗浄デバイス（１）。【選択図】図１Ａ〜図１Ｄ
2020509809.tif 000002
【特許請求の範囲】
【請求項１】
歯科用粉末洗浄デバイス（１）であって、
圧縮空気源への取付けのために構成された基端側アーム（２）と、
空気と研磨粉との混合物を分注するために構成された先端部分（３０）を有する先端側アーム（３）と、
前記研磨粉を受けるように構成された乱流室（４）であって、前記乱流室（４）が前記基端側アーム（２）と前記先端側アーム（３）との間に挿入されるとともに、前記圧縮空気が前記基端側アーム（２）を通じて前記乱流室（４）において付加され得るとともに空気と粉末との前記混合物が前記先端側アーム（３）内で出ることができるような方法で両方と流体連通している乱流室（４）と、
前記乱流室（４）の上流で前記基端側アーム（２）に配置された、圧縮空気流のためのコントローラ（１０）であって、前記コントローラ（１０）が、
プラグ又はピン（１１）であって、前記基端側アーム（２）の圧縮空気の供給チャネル（２１）を塞ぐために選択的に並進運動させられ得るプラグ又はピン（１１）と、
オペレータにより回転作動可能な駆動要素（１２）と、を含み、
前記駆動要素（１２）及び／又は前記プラグ若しくはピン（１１）がそれぞれの形状−結合面（１１２、１２１）を含む、コントローラ（１０）と、を備え、
前記デバイス（１）が、前記基端側（２）及び／又は先端側アーム（３）でオペレータにより把持されるようにハンドピースとして構成される、歯科用粉末洗浄デバイス（１）。
【請求項２】
前記プラグ又はピン（１１）が頭部（１１１）と柄部（１１４）とを有する、請求項１に記載のデバイス（１）。
【請求項３】
前記プラグ若しくはピン（１１）及び／又は前記駆動要素（１２）が、カム又は実質的に球状のプロファイルを備えたそれぞれの形状−結合面を有する、請求項１又は２に記載のデバイス（１）。
【請求項４】
前記駆動要素（１２）が、前記デバイス（１）の外箱（１００）に回転可能に結合されたリングの形に作られる、請求項１〜３のいずれか１項に記載のデバイス（１）。
【請求項５】
前記駆動要素（１２）が、特にカムプロファイルを備えた成形されたガイドを形成する形状−結合面（１２１）を有し、前記構成が、前記形状−結合面（１２１）が前記プラグ又はピン（１１）の頭部（１１１）に、特に前記プラグ又はピン（１１）の成形された面（１１２）に当接して作用するようなものである、請求項１〜４のいずれか１項に記載のデバイス（１）。
【請求項６】
前記先端側アーム（３）の前記端部分（３０）に１つ又は複数の出口ノズルを有する、水のジェットを分注するための手段（７）を含む、請求項１〜５のいずれか１項に記載のデバイス（１）。
【請求項７】
前記乱流室（４）が、前記室自体への前記研磨粉の挿入のために構成された装填側ドア（４０）を有する、請求項１〜６のいずれか１項に記載のデバイス。
【請求項８】
前記乱流室（４）が、前記デバイス（１）が前記装填ドア（４０）の反対側（４２）に、並びに好ましくは前記基端側（２）及び先端側（３）アームに載っている状態で前記研磨粉を装填可能であるような形状を有する、請求項７に記載のデバイス（１）。
【請求項９】
前記装填側ドア（４０）の閉鎖ドア（５）であって、好ましくは取り外し可能である閉鎖ドア（５）を含む、請求項７又は８に記載のデバイス（１）。
【請求項１０】
前記ドア（５）が、デバイス（１）の外箱（１００）とのねじ継手により開くことができるとともに閉じることができ、前記ドア（５）が好ましくはリングとして構成される、請求項９に記載のデバイス（１）。
【請求項１１】
前記基端側（２）及び先端側（３）アームが、好ましくは互いに傾斜したそれぞれの主な方向（ＤＰ、ＤＤ）に沿って延在する、請求項１〜１０のいずれか１項に記載のデバイス（１）。
【請求項１２】
前記装填側ドア（４０）が、前記粉末が前記第１（ＤＰ）及び第２（ＤＤ）の主な方向により規定された平面（Ｐ）に実質的に直交する装填方向（Ａ）に従って挿入され得るような方法で構成される、請求項７〜１１のいずれか１項に記載のデバイス。
【請求項１３】
前記乱流室（４）が、好ましくは、それぞれのベース又は壁（４１、４２）により両側で閉鎖された円筒形の展開部を備えた側方スカート（４００）を有する、請求項１〜１２のいずれか１項に記載のデバイス（１）。
【請求項１４】
前記乱流室（４）が実質的に全体的に円筒形状を有する、請求項１３に記載のデバイス（１）。
【請求項１５】
前記ベース又は壁（４１、４２）の一方又は両方が実質的にドーム形態を有する、請求項１３又は１４に記載のデバイス（１）。
【請求項１６】
前記装填側ドア（４０）が、前記ベース又は壁（４１、４２）の一方で形成される、請求項７〜１５のいずれか１項に記載のデバイス（１）。
【請求項１７】
前記乱流室（４）が、オペレータが内部を見ることを可能にするように構成された透明部分（５０）を含む、請求項１〜１６のいずれか１項に記載のデバイス（１）。
【発明の詳細な説明】
【技術分野】
【０００１】
本発明は、特に空気及び研磨粉の圧力下で混合物を、典型的には水のジェットと一緒に分注するタイプの歯科用粉末クリーナーに関する。
【背景技術】
【０００２】
粉末クリーナーは、歯科医術において歯科衛生中に歯石を取り除くために一般に使用される。これらはまた、例えば部分除去又は補綴治療の後の歯の表面の仕上げにも使用される。
【０００３】
そのようなクリーナーは厳密には、空気及び研磨粉の圧力下でジェットを分注することにより、材料の表面的な除去を行う。概して、同じ器具はまた、チャネルを通じた水流を管理し、このチャネルは、空気のチャネルから離れているとともに空気の分注出口と隣接するか同心で外側にある分注出口を有する。
【０００４】
既知の粉末クリーナーは、ハンドピースであって、オペレータにより把持され得るとともに歯科技工室において一般的に存在する圧縮空気及び水の源又は接続部へ接続され得るハンドピースの形である。一般に使用されるタイプのデバイスは長楕円形アームの対、具体的には、上記空気及び水接続部のための接続部を収納するオペレータに対して基端側のもの、及び患者での分注出口で終端する先端側のものを含む。これらのアーム間には、一般に球状の中間室があり、この中間室には粉末を中に装填することを可能にするために上部の入口がある。
【０００５】
圧縮空気は上記の中間室内へ運ばれ、中間室内では、乱流が生成され、これにより空気が粉末と混合され、次いで、患者への分注方向での室の出口に向かっての粉末の取り込みが引き起こされる。
【０００６】
先行技術のクリーナーの欠点の１つは、それらの各モデルが、研磨粉の機械的特性及び／又は寸法の点で実質的に研磨粉のタイプに対して決まっているという点である。特に、市場には、各粒子の平均で直径又は線寸法が１２０ミクロンから１２ミクロンまでに及び得る様々な粒子サイズの粉末がある。最適な混合及び取り込みのために、各タイプの粉末は乱流室内部に特定の流体力学的条件を必要とし、この条件は、先行技術においては、例えば、室自体の形状を修正することによるか、室に含まれるノズルの形状を修正することにより得られる。
【０００７】
結果として、既に述べたとおり、粉末クリーナーの製造業者は、異なる粒子サイズ及び／又はタイプの粉末をカバーするために異なるデバイスを提供する。
【０００８】
さらなる欠点は、中間乱流室は容易でない充填モードを必要とし、例えばそれは粉末を挿入する間手動で支持されなければならないという事実により表される。結果として、既知のクリーナーはしばしば粉末の厳密な用量を確保することができず、装填作業中の環境への粉末の散らばりを防止することもできない。
【発明の概要】
【０００９】
本発明により提示及び解決される技術的問題は、従って、先行技術を参照して言及された欠点の１つ又は複数を克服することを可能にする歯科用粉末洗浄デバイスを提供するという問題である。
【００１０】
この問題は、請求項１に記載の洗浄デバイスにより解決される。
【００１１】
本発明の好ましい特徴は、従属請求項の主題である。
【００１２】
本発明の洗浄デバイスは、圧縮空気源への取付けのための基端側アームと、患者への分注のための先端側アームと、内部に研磨粉が装填され得る中間乱流室とを主として含む。
【００１３】
有利には、デバイスは略ハンドピース形の構造を有し、その結果、それは基端又は先端側アームで治療を行うオペレータにより把持され得る。
【００１４】
本発明の第１態様によると、洗浄デバイスは乱流室に入る空気流のコントローラであって、従って混合工程に対して上流に配置されたコントローラを有する。
【００１５】
このようにして、同じデバイスにおいて、粒子の機械的特性及びサイズの点で異なるタイプの粉末を使用することが可能となる。実際は、最適な混合条件は、室に入る空気の流量、従って室自体内部に生じる乱流の流体力学的パラメータを修正することにより厳密に得られ得る。
【００１６】
本発明の第２態様によると、乱流室は装填側ドアを有し、この装填側ドアは、粉末が、２つのアームの主な延在方向に実質的に直交する軸に沿って挿入されることを可能にする。
【００１７】
このようにして、ハンドピースは支持平面に置かれ得るとともにオペレータによる支持を必要とせずに装填に好適な位置にとどまり得ることから、装填作業は極めて単純化されるとともにより効率的になる。
【００１８】
本発明の使用のさらなる利点、特徴及び方法は、非限定的な例としてなされる、そのいくつかの実施形態の以下の詳細な説明から明らかとなるだろう。
【００１９】
添付図面の図が参照される。
【図面の簡単な説明】
【００２０】
【図１Ａ】本発明による粉末洗浄デバイスの好ましい実施形態の斜視側面図を示す。
【図１Ｂ】図１Ａにおけるデバイスの正面図を示す。
【図１Ｃ】図１Ａにおけるデバイスの背面図を示す。
【図１Ｄ】図１Ａにおけるデバイスの下面図を示す。
【図２Ａ】それぞれの制御バルブが開いた構成の、図１Ａにおけるデバイスの長手方向断面図を示す。
【図２Ｂ】図２Ａの拡大詳細図を示す。
【図３Ａ】それぞれの制御バルブが閉じた構成の、図１Ａにおけるデバイスの長手方向断面図を示す。
【図３Ｂ】図３Ａの拡大詳細図を示す。
【図４Ａ】相対制御バルブの開いた構成にある本発明による粉末洗浄デバイスの好ましい実施形態の変形形態を指し、その長手方向部分断面図を示す。
【図４Ｂ】相対制御バルブの閉じた構成にある本発明による粉末洗浄デバイスの好ましい実施形態の変形形態を指し、その長手方向部分断面図を示す。
【発明を実施するための形態】
【００２１】
上記の図に示された寸法及び曲線は、例として理解されるものであり、必ずしも比例して示されていない。
【００２２】
最初に図１Ａ〜図１Ｄを参照すると、本発明の好ましい実施形態による粉末洗浄デバイスが全体として参照符号１で表示されている。
【００２３】
デバイス１は、歯科用、特に、歯石を除去することを狙いとした歯科クリーニングのため、又は上で言及したとおりの他の用途のための使用を目的とするものである。
【００２４】
デバイス１は主に、
第１アーム２であって、オペレータへのその近さとの関連で基端側として定義される第１アーム２と、
先端側として定義される第２アーム３と、
基端側アーム２と先端側アーム３との間に、両方と内部で流体連通した状態で挿入された乱流室４と、を含む。
【００２５】
上記のコンポーネントは、デバイスの外箱１００により、及びそれぞれの内部要素により規定される。
【００２６】
基端側アーム２は、特に、それ自体既知のタイプの基端側接続部２０による、例えばねじ継手に基づいた、圧縮空気源への取付けのために構成される。基端側アーム２は、長楕円形の形態を有するとともに、第１の主な方向ＤＰに従って延在する。
【００２７】
先端側アーム３もまた、長楕円形の形態を有するとともに、本発明の例においては第１方向ＤＰに対して傾斜した、すなわち角度が付いている第２の主な方向ＤＤに従って延在する。
【００２８】
先端側アーム３は、先端側端部分３０であって、注ぎ口又は分注用ノズルとして成形されるとともに、以下で説明されるモードに従い、空気と粉末との混合物を患者へ分注するために構成された先端側端部分３０を有する。好ましくは、端部分３０は、第２の主な延在方向ＤＤに対して傾斜している。
【００２９】
本発明の実施形態例において、以下で説明されるとおり、水のジェットもまた先端側部分３０を通じて分注される。
【００３０】
デバイス１は、基端側２及び／又は先端側アーム３でオペレータにより把持されるように、一般にハンドピースとして構成される。
【００３１】
乱流室４は、この実施形態例において、好ましくは、それぞれのベース又は壁４１、４２により両側で閉鎖された円筒形の展開部を備えた側方スカート４００により規定される。本発明の例においては、ベース４１及び４２は両方とも、平面図においてみられる実質的に円形のプロファイルを有する。これらのベース４１、４２の一方又は両方は、ドーム構成を有してもよい。
【００３２】
図示の変形形態において、乱流室４は、実質的に円筒形の全体的形状を有する。
【００３３】
乱流室４は、室自体への研磨粉の挿入のために構成された装填側ドア４０を有する。装填ドア４０で、室４は、好ましくは取り外し可能であるポート又はドア５により閉じられ得る。
【００３４】
図示の形状によると、装填ドア４０及び対応するドア５はベース４１全体を実質的に占める、従ってベース４１はドア５自体により規定される。
【００３５】
本発明の例においては、ドア５は、外箱１００が乱流室４を側方に規定する部分において外箱１００とのねじ継手により開閉され得る。図示の例において、従って、ドア５は回転軸Ａに従って回転可能である。特に、本発明の実施形態において、ドア５は回して外すことができないリングの形で作られる。
【００３６】
軸Ａは、アーム２及び３の主な展開方向ＤＰ及びＤＤにより規定された平面Ｐに対して実質的に直交又は少なくとも斜めである。このような平面Ｐは、実質的に図２Ａ及び図３Ａの長手方向断面を表すものである。軸Ａはまた、本発明の例においては、室４の装填方向、すなわちドア４０を通じたアクセスとも一致する。
【００３７】
本発明の実施形態において、説明された構成のために、デバイス１をドア４０自体の反対側に、すなわち実質的に第２ベース又は壁４２に、及び好ましくはまたアーム２及び３に載っているように置いた状態で、乱流室４はドア４０を通じて研磨粉で充填され得る。他の幾何学的形状も同じ結果を得るために可能であり、これによると充填操作が、デバイス１を手動で支持することも専用の支持工具を持つことも必要のない１人のオペレータにより、容易に実施され得る。
【００３８】
有利には、ドア５は透明な窓又は部分５０を有し、これはオペレータが、室４内部に含まれている粉末の量及び／又は中で確立された乱流条件を見ること、及び、概して、デバイス１の局所的作動をチェックすることを可能にする。本発明の例においては、この透明な窓５０は、ドア５の平面延在部に対して主な領域を占めるとともに、円形プロファイルを有するか、又は、いずれの場合もドア５自体の円形プロファイルに対応する。
【００３９】
好ましい実施形態によると、ドア５は周辺把持部分５１を有し、これは本発明の例においては形状が実質的に円形のリングである。把持部分５１は、把持及び回転を円滑にするために実質的に線形の展開部を備えた半径方向縁又は突出部５２を有し得る。
【００４０】
ドア５は、特にリングの形である場合、ステンレス鋼で作られ得る。
【００４１】
適用例において、乱流室４は、約９バールでの安全なサイジングで、約３バールに等しい内部作動圧力のための大きさにされ得る。
【００４２】
本発明の実施形態のデバイス１はまた、乱流室４に入る空気流量の変動を可能にするように構成されたフローコントローラ１０を含む。コントローラ１０は、乱流室４の上流の基端側アーム２に配置される。
【００４３】
有利には、コントローラ１０は、好ましくはゼロフローに対応する最小空気供給の状態と最大空気供給の状態との間の前記流量の調整を可能にする。
【００４４】
図２Ａ及び図２Ｂは最大又はほぼ最大流量の状態を指し、一方で、図３Ａ及び図３Ｂは特にゼロであり得る最小流量の状態を指す。
【００４５】
図２Ａ及び図２Ｂを参照すると、コントローラ１０は空気供給チャネル２１のところに置かれ、この空気供給チャネル２１は、基端側アーム２を通過して、継手２０から乱流室４の吸気口へ圧縮空気を供給する。
【００４６】
本発明の実施形態において、コントローラ１０はプラグ又はピン１１を含む。プラグ又はピン１１は、頭部１１１と柄部１１４とを有する。
【００４７】
頭部１１１には、特に実質的に弓形のプロファイルを備え、なおより好ましくは球状の形状を備えた成形された端面１１２が設けられる。シール、特にＯリング１１３が、例えば、頭部１１１自体において形成された座部に受け入れられた状態で頭部１１１に提供され得る。
【００４８】
柄部１１４は、頭部１１１に隣接する第１長楕円形部分１１５と、断面が減少した中間部１１６と、端部分１１７とを規定する。第１部分１１５と中間部１１６との間及び中間部１１６と端部分１１７との間の移行部は、局所的先細プロファイルにより規定される。
【００４９】
ピン１１は、方向ＤＰに実質的に直交するとともに実質的に上記の平面Ｐ上にあるか上記の平面Ｐと平行である方向Ｔに従って、基端側アーム２の座部２１１内へ選択的に並進可能である。座部２１１は、方向Ｔにおいて、第１拡大部分２１２であって、内部で頭部１１１が移動する第１拡大部分２１２と、第２縮小部分２１３であって、内部で柄部１１４が移動する第２縮小部分２１３とを有する。
【００５０】
柄部１１４で、頭部１１１に最も近い部分において、弾性戻り要素１２０、特にらせん状ばねが関連し得る。弾性戻り要素１２０は、頭部１１１の当接面と座部２１１の当接面との間に挿入され、座部２１１は２つの部分２１２及び２１３の間の移行部に位置付けられる。要素１２０は、座部２１１から大きい方の突出部の上昇位置へピン１１を押し込むことにより、以下に記載の駆動要素１２の動きに対抗するように構成される。
【００５１】
ピン１１は、オペレータにより作動され得る上記の駆動要素１２により、並進するように駆動される。特に、駆動要素１２は、本発明の例においては、デバイス１の外箱１００に回転可能に結合されるリングの形で作られる。この場合も本発明の例においては、駆動要素１２は方向ＤＰに実質的に対応する軸を中心として回転する。
【００５２】
説明された配置構成において、駆動要素１２は、成形されたガイド面１２１であって、特に、頭部１１１に、特にその成形された面１１２で当接して作用するカムプロファイルを備えた成形されたガイド面１２１を有する。
【００５３】
このような形状結合により、ピン１１は、図２Ａ及び図２Ｂに対応する最大空気供給又は最大フローの位置と図３Ａ及び３Ｂに示された最小供給位置との間で座部２１１内へと選択的に摺動する。最大又は非ゼロの位置（図２Ｂ）において、柄部１１４の中間部１１６は拡大座部２１２内に部分的に配置され、縮小座部２１３内で、次いでチャネル２１の下流部分において、拡大座部２１２を空気が通過することを可能にする。換言すると、ピン１１は、継手２０から来る空気流を通過させるために、デバイス１の外側に向かって上昇している。最小フロー位置（図３Ｂ）において、ピン１１はデバイス１の内部に向かって下げられる。この位置において、部分１１５は縮小座部２１３内の拡大座部２１２からの空気の通過を阻止し、供給チャネル２１を塞ぐ。
【００５４】
前述のとおり、中間位置が、コントローラ１０の上流及び下流のチャネル２１のルーメン部分間の空気通路領域を減らすために提供される。
【００５５】
ばね１２０は２つの表面１１２及び１２１の間の連続的な当接を確実にし、上昇位置にあるピン１１の、デバイス１の外側に向かっての復帰動作を確実にする。
【００５６】
ピン１１の上流及び／又は下流で、逆流防止フロー制御手段、例えば、継手２０に向かっての空気の逆流を防ぐのに好適なバルブ２２がチャネル２１に施され得る。
【００５７】
デバイス１はまた、有利には水のジェットを分注するための手段、特に、２つのアーム２及び３内部にあり乱流室４の壁を通過するチャネル７を含む。チャネル７は、流体源への取付けのために構成された基端部と先端側アーム３の端部分３０に配置された先端部との間に延在する。
【００５８】
実施形態の変形形態において、圧縮空気供給チャネル２１は少なくとも局所的に変形可能な材料で作られてもよく、例えば、チャネル自体の上にある外側プラグ又はピンによりフロー制御が得られた。
【００５９】
使用の際、洗浄デバイス１は、継手２０で、及び場合によりそれ自体知られているコネクタを通じて歯科医の椅子又は異なる電源へ接続される。
【００６０】
前述のとおり、乱流室４はアーム２及び３の両方と流体連通しており、その結果、圧縮空気は、流量がコントローラ１０により管理された状態で、基端側アーム２を通じて室内へ供給され得る。
【００６１】
圧縮空気が室４に入るとすぐに、それは空気と粉末との混合物を作り出す乱流を作り出し、これは、環境圧力より高い圧力で、先端側アーム３を通じてデバイス出口の方に向けられる。
【００６２】
流量の変更は室４内部の乱流を変化させ、従って異なるタイプの粉末の使用を可能にする。
【００６３】
さらに、乱流室の上流で実施される空気流の制御は、粉末が制御手段を通過すること無しにオペレータが患者に到達するフローの量を調節することを可能にし、従って浸入又は妨害のリスクを回避する。
【００６４】
水は、既に述べたとおり、代わりに、デバイス１の出口の方に直接向けられる。
【００６５】
上述のハンドピースクリーナーはまた、制御ユニットであって、例えば任意選択的に局所センサーと関連するクリーナーの状態を決定するために選択的にクリーナーに接続可能な制御ユニットと関連し得る。
【００６６】
図４Ａ及び図４Ｂは、既に説明されたこととの違いとの関連においてのみ以下で説明される前述の図のデバイスの実施形態の変形形態に言及している。そのような図４Ａ及び図４Ｂにおいて、既に説明されたものと同様のコンポーネントは同じ数字の参照符号で示されている。
【００６７】
この実施形態の変形形態の違いは、流量制御モードに関する。
【００６８】
特に、このケースにおいても、フローコントローラは、プラグ又はピン１１及び駆動要素１２、例えば、形状結合により協働する既に説明されたものを含む。
【００６９】
この変形形態において、ピン１１の柄部は、部分１１５と１１６の間の移行部に、さらなるシーリング要素、例えばＯリング１１３’を担持する。
【００７０】
本発明の変形形態において、座部２１１の縮小部分２１３に、供給チャネル２１から来る空気が、座部２１３を厳密に通過して、本明細書において２１’により表示される下流チャネルに到達することを可能にする穴又は通路ダクト６が提供される。この流れは、拡大座部２１２の通路スロットを通じて可能にされた流れに追加され、このスロットは明細書においては２１２’により表示され、図２Ａ〜図３Ｂの実施形態と既に関連付けられている。
【００７１】
図４Ａの開位置において、供給チャネル２１から来る空気は、ダクト６及びスロット２１２’の両方を通り得る。図４Ｂの閉位置において、空気は、ダクト６従って座部部分２１３のみを横切る。
【００７２】
従って、ダクト６の提供は、空気流の制御又は校正の追加的な可能性を可能にする。
【００７３】
特定の実装方法はまたダクト６の通路を阻止することを可能にする。
【００７４】
本発明はここまでその好ましい実施形態を参照して説明されてきた。以下のクレームの保護の範囲により定義されるとおり、同じ発明性のある範囲に関連する他の実施形態も存在し得ることが理解される。
【図１Ａ】
2020509809.tif 000003
【図１Ｂ】
2020509809.tif 000004
【図１Ｃ】
2020509809.tif 000005
【図１Ｄ】
2020509809.tif 000006
【図２Ａ】
2020509809.tif 000007
【図２Ｂ】
2020509809.tif 000008
【図３Ａ】
2020509809.tif 000009
【図３Ｂ】
2020509809.tif 000010
【図４Ａ】
2020509809.tif 000011
【図４Ｂ】
2020509809.tif 000012
【手続補正書】
【提出日】平成31年1月3日(2019.1.3)
【手続補正１】
【補正対象書類名】特許請求の範囲
【補正対象項目名】全文
【補正方法】変更
【補正の内容】
【特許請求の範囲】
【請求項１】
歯科用粉末洗浄デバイス（１）であって、
圧縮空気源への取付けのために構成された基端側アーム（２）と、
空気と研磨粉との混合物を分注するために構成された先端部分（３０）を有する先端側アーム（３）と、
前記研磨粉を受けるように構成された乱流室（４）であって、前記乱流室（４）が前記基端側アーム（２）と前記先端側アーム（３）との間に挿入されるとともに、前記圧縮空気が前記基端側アーム（２）を通じて前記乱流室（４）において付加され得るとともに空気と粉末との前記混合物が前記先端側アーム（３）内で出ることができるような方法で両方と流体連通している乱流室（４）と、
前記乱流室（４）の上流で前記基端側アーム（２）に配置された、圧縮空気流のためのコントローラ（１０）であって、前記コントローラ（１０）が、
プラグ又はピン（１１）であって、前記基端側アーム（２）の圧縮空気の供給チャネル（２１）を塞ぐために選択的に並進運動させられ得るプラグ又はピン（１１）と、
オペレータにより回転作動可能な駆動要素（１２）と
を含み、前記駆動要素（１２）及び前記プラグ若しくはピン（１１）がそれぞれの形状−結合面（１１２、１２１）を含む、コントローラ（１０）と、を備え、
前記コントローラ（１０）が、好ましくはゼロフローに対応する最小空気供給の状態と最大空気供給の状態との間の前記流量の調整を可能にし、
前記デバイス（１）が、前記基端側（２）及び／又は先端側アーム（３）でオペレータにより把持されるようにハンドピースとして構成される、歯科用粉末洗浄デバイス（１）。
【請求項２】
前記プラグ又はピン（１１）が頭部（１１１）と柄部（１１４）とを有する、請求項１に記載のデバイス（１）。
【請求項３】
前記プラグ若しくはピン（１１）及び／又は前記駆動要素（１２）が、カム又は実質的に球状のプロファイルを備えたそれぞれの形状−結合面を有する、請求項１又は２に記載のデバイス（１）。
【請求項４】
前記駆動要素（１２）が、前記デバイス（１）の外箱（１００）に回転可能に結合されたリングの形に作られる、請求項１〜３のいずれか１項に記載のデバイス（１）。
【請求項５】
前記駆動要素（１２）が、特にカムプロファイルを備えた成形されたガイドを形成する形状−結合面（１２１）を有し、前記構成が、前記形状−結合面（１２１）が前記プラグ又はピン（１１）の頭部（１１１）に、特に前記プラグ又はピン（１１）の成形された面（１１２）に当接して作用するようなものである、請求項１〜４のいずれか１項に記載のデバイス（１）。
【請求項６】
前記先端側アーム（３）の前記端部分（３０）に１つ又は複数の出口ノズルを有する、水のジェットを分注するための手段（７）を含む、請求項１〜５のいずれか１項に記載のデバイス（１）。
【請求項７】
前記乱流室（４）が、前記室自体への前記研磨粉の挿入のために構成された装填側ドア（４０）を有する、請求項１〜６のいずれか１項に記載のデバイス。
【請求項８】
前記乱流室（４）が、前記デバイス（１）が前記装填ドア（４０）の反対側（４２）に、並びに好ましくは前記基端側（２）及び先端側（３）アームに載っている状態で前記研磨粉を装填可能であるような形状を有する、請求項７に記載のデバイス（１）。
【請求項９】
前記装填側ドア（４０）の閉鎖ドア（５）であって、好ましくは取り外し可能である閉鎖ドア（５）を含む、請求項７又は８に記載のデバイス（１）。
【請求項１０】
前記ドア（５）が、デバイス（１）の外箱（１００）とのねじ継手により開くことができるとともに閉じることができ、前記ドア（５）が好ましくはリングとして構成される、請求項９に記載のデバイス（１）。
【請求項１１】
前記基端側（２）及び先端側（３）アームが、好ましくは互いに傾斜したそれぞれの主な方向（ＤＰ、ＤＤ）に沿って延在する、請求項１〜１０のいずれか１項に記載のデバイス（１）。
【請求項１２】
前記装填側ドア（４０）が、前記粉末が前記第１（ＤＰ）及び第２（ＤＤ）の主な方向により規定された平面（Ｐ）に実質的に直交する装填方向（Ａ）に従って挿入され得るような方法で構成される、請求項７〜１１のいずれか１項に記載のデバイス。
【請求項１３】
前記乱流室（４）が、好ましくは、それぞれのベース又は壁（４１、４２）により両側で閉鎖された円筒形の展開部を備えた側方スカート（４００）を有する、請求項１〜１２のいずれか１項に記載のデバイス（１）。
【請求項１４】
前記乱流室（４）が実質的に全体的に円筒形状を有する、請求項１３に記載のデバイス（１）。
【請求項１５】
前記ベース又は壁（４１、４２）の一方又は両方が実質的にドーム形態を有する、請求項１３又は１４に記載のデバイス（１）。
【請求項１６】
前記装填側ドア（４０）が、前記ベース又は壁（４１、４２）の一方で形成される、請求項７〜１５のいずれか１項に記載のデバイス（１）。
【請求項１７】
前記乱流室（４）が、オペレータが内部を見ることを可能にするように構成された透明部分（５０）を含む、請求項１〜１６のいずれか１項に記載のデバイス（１）。
【国際調査報告】
2020509809.tif 000013
2020509809.tif 000014